(57)【要約】【課題】風の方向を偏向させる場合に、空気が左右羽根を通過するときに発生する圧力損失の増大を低減できる空気調和機を得る。【解決手段】吹出し口２に設けられ、ファン５により発生する風の方向を偏向させる左右風向制御装置７を備え、左右風向制御装置７は、吹出し口底面２ｃに形成された台座軸受け２ａを中心に回動する台座８と、台座８に設けられ、台座８の回動により風の方向を偏向させる複数の固定羽根３０と、台座８に形成された左右羽根軸受け８ａを中心に回動して風の方向を偏向させる複数の左右羽根９と、左右羽根９と連結して設けられ、左右羽根９を回動させる駆動手段とを有し、風の方向を偏向させる際に、左右羽根９が左右羽根軸受け８ａを中心に回動するとともに、台座８が台座軸受け２ａを中心に回動して、台座軸受け８ａを中心に固定羽根３０および左右羽根９が吹出し口２から出し入れされる。【選択図】図２
2008261537.tif 000002
【特許請求の範囲】
【請求項１】
吹出し口に設けられ、ファンにより発生する風の方向を偏向させて制御する風向制御装置を備え、
前記風向制御装置は、前記吹出し口に設けられ、前記吹出し口を区画する壁に垂直に形成された吹出し口回動中心部を中心に回動する台座と、
前記台座の面に垂直に設けられ、前記台座の回動により前記風の方向を一方向に偏向させる複数の固定羽根と、
前記台座の面に垂直に設けられ、前記台座に形成された台座回動中心部を中心に回動して前記風の方向を一方向に偏向させる複数の羽根と、
前記羽根と連結して設けられ、前記羽根を回動させる駆動手段とを有し、
前記風の方向を一方向に偏向させる際に、前記羽根が前記台座回動中心部を中心に回動するとともに、前記台座が前記吹出し口回動中心部を中心に回動して、前記吹出し口回動中心部を中心に前記固定羽根および前記羽根が前記吹出し口から出し入れされることを特徴とする空気調和機。
【請求項２】
前記風向制御装置は、前記羽根の所定の偏向角度を境にして前記台座の回動を開始または停止させることを特徴とする請求項１に記載の空気調和機。
【請求項３】
前記吹出し口を区画する壁には、溝が形成され、
前記台座には、一方向に延びた孔が貫通して形成され、
前記風向制御装置は、一端部が前記孔を貫通し前記溝に挿入される突起を有し、他端部が前記羽根と連結したリンク体を有することを特徴とする請求項２に記載の空気調和機。
【請求項４】
前記溝は、直線部と曲線部とからなることを特徴とする請求項３に記載の空気調和機。
【請求項５】
前記駆動手段は、モータと、前記羽根の回転軸と前記モータとの間に設けられ前記モータの動力を前記羽根の回転軸に伝達する動力伝達手段とを有することを特徴とする請求項１ないし請求項４の何れか１項に記載の空気調和機。
【請求項６】
前記駆動手段は、前記羽根の回転軸に直接連結して設けられ、前記羽根の回転軸を回動させるモータであることを特徴とする請求項１ないし請求項４の何れか１項に記載の空気調和機。
【発明の詳細な説明】
【技術分野】
【０００１】
この発明は、ファンにより発生する風の方向を偏向させて制御する風向制御装置を備えた空気調和機に関する。
【背景技術】
【０００２】
従来、吹出し口に設けられ、ファンにより発生する風の方向を上下方向および左右方向へ偏向可能な風向偏向手段を備えた空気調和機において、前記風向偏向手段は、前記吹出し口に設けられ、上下羽根回転軸を中心に回動して前記風の方向を上下方向に偏向させる上下羽根と、前記吹出し口に左右方向に並べられて設けられ、左右羽根回転軸を中心に回動して前記風の方向を左右方向に偏向させる複数の左右羽根とを備えたことを特徴とする空気調和機が知られている（例えば、特許文献１参照）。
【０００３】
【特許文献１】特開２００１−５０５７９号公報
【発明の開示】
【発明が解決しようとする課題】
【０００４】
しかしながら、このものの場合、室内の隅々まで空気を送風するために、左右羽根を大きく回動させると、隣接する左右羽根間の風の方向に対する垂直方向の距離が狭くなる。その結果、空気が左右羽根を通過するときに、空気の縮流が大きくなり、圧力損失が増大してしまうという問題点があった。
【０００５】
この発明は、上述のような問題点を解決することを課題とするものであって、その目的は、室内の隅々まで空気を送風するために、例えば、左右羽根を大きく回動させても、空気が左右羽根を通過するときに、圧力損失の増大を抑制することができる空気調和機を提供するものである。
【課題を解決するための手段】
【０００６】
この発明に係る空気調和機は、吹出し口に設けられ、ファンにより発生する風の方向を偏向させて制御する風向制御装置を備え、前記風向制御装置は、前記吹出し口に設けられ、前記吹出し口を区画する壁に垂直に形成された吹出し口回動中心部を中心に回動する台座と、前記台座の面に垂直に設けられ、前記台座の回動により前記風の方向を一方向に偏向させる複数の固定羽根と、前記台座の面に垂直に設けられ、前記台座に形成された台座回動中心部を中心に回動して前記風の方向を一方向に偏向させる複数の羽根と、前記羽根と連結して設けられ、前記羽根を回動させる駆動手段とを有し、前記風の方向を一方向に偏向させる際に、前記羽根が前記台座回動中心部を中心に回動するとともに、前記台座が前記吹出し口回動中心部を中心に回動して、前記吹出し口回動中心部を中心に前記固定羽根および前記羽根が前記吹出し口から出し入れされる。
【発明の効果】
【０００７】
この発明に係る空気調和機によれば、室内の隅々まで空気を送風するために、例えば、左右羽根を大きく回動させても、空気が左右羽根を通過するときに、圧力損失の増大を抑制することができる。
【発明を実施するための最良の形態】
【０００８】
以下、この発明の各実施の形態を図に基づいて説明するが、各図において、同一または相当の部材、部位については、同一符号を付してある。
各実施の形態では、図２（ａ）の矢印Ａの方向を上下方向、紙面に垂直な方向を左右方向と呼ぶ。
実施の形態１．
図１は実施の形態１に係る空気調和機の左右風向制御装置７を示す斜視図、図２（ａ）は図１の左右風向制御装置７の取り付け位置を示す説明図である。
実施の形態１に係る空気調和機は、外部から空気を吸い込む吸込み口１と、この吸込み口１から吸い込まれた空気を外部へ吹き出す吹出し口２と、吸込み口１と吹出し口２とを連通させた送風路３とが形成されたケース４を備えている。
また、この空気調和機は、送風路３の内部に設けられ風を発生させるファン５と、吸込み口１とファン５との間に設けられ、吸込まれた空気と熱交換を行う熱交換器６と、吹出し口２に設けられ、風の方向を一方向である左右方向に偏向させて制御する左右風向制御装置７と、吹出し口２に設けられ、左右方向に垂直な他方向である上下方向に偏向させて風の方向を制御する上下風向制御装置２５とを備えている。
左右風向制御装置７は、吹出し口２の吹出し口底面２ｃに設けられ、吹出し口底面２ｃに垂直に形成された吹出し口回動中心部である台座軸受け２ａを中心に回動する台座８と、台座８の面に垂直に設けられ、台座８に形成された台座回動中心部である後述する左右羽根軸受け８ａを中心に回動する羽根である左右羽根９と、台座８の面に垂直に設けられた複数の固定羽根３０とを備えている。
複数の左右羽根９は、吹出し口２の横方向に並べられたものであり、それぞれがヒンジ１０を介して羽根リンク棒１１と連結されている。
また、上下風向制御装置２５は、上下羽根回転軸２１を中心に上下方向に回動する上下羽根２０を備えている。
【０００９】
図３は実施の形態１に係る空気調和機の左右風向制御装置７の吹出し口２への取り付けを示す説明図である。
吹出し口２には、左右風向制御装置７が左右方向に２個設けられており、各台座８の向かい合った両端部が吹出し口２から出し入れできるようになっている。
吹出し口側壁２ｂには、モータであるベーンモータ１２が設けられている。
【００１０】
図４は台座８に形成された台座スライド孔８ｃと吹出し口底面２ｃに形成されたガイド溝１３と台座スライド１４ａとの関係を示す平面図、図５は図４の台座スライド孔８ｃとガイド溝１３と台座スライド１４ａとを示す分解斜視図、図６は左右羽根９と台座８と吹出し口底面２ｃとの関係を示す分解斜視図である。
左右羽根９は左右羽根回転軸９ａを有し、左右羽根回転軸９ａは左右羽根軸受け８ａと回動自在に連結している。
台座８は台座回転軸８ｂを有し、台座回転軸８ｂは台座軸受け２ａと回動自在に連結している。
台座８には、一方向に延びた孔である台座スライド孔８ｃが形成されている。
吹出し口底面２ｃには、溝であるガイド溝１３が形成されており、このガイド溝１３は直線部１３ａおよび曲線部１３ｂを有している。直線部１３ａと曲線部１３ｂとの境は、台座８に設けられた台座スライド孔８ｃの端部とほぼ一致するように配置されている。
また、曲線部１３ｂは台座回転軸８ｂを中心とした略円弧状に形成されている。
左右風向制御装置７は、一端部が台座スライド孔８ｃを貫通するとともにガイド溝１３に挿入される突起である台座スライド１４ａを有し、他端部が左右羽根９と連結したリンク体である台座リンク棒１４を有している。
【００１１】
図７はベーンモータ１２と羽根リンク棒１１と台座リンク棒１４との関係を示す平面図である。
ベーンモータ１２にはモータ回転板１５が設けられ、モータ回転板１５には内部にモータスライド孔１５ａが形成されている。このモータスライド孔１５ａには、羽根リンク棒１１の端部に設けられたモータスライド１１ａが挿入され、モータスライド１１ａはモータスライド孔１５ａに沿って自由に移動できる。
駆動手段は、ベーンモータ１２、モータ回転板１５および羽根リンク棒１１から構成されている。
【００１２】
次に、実施の形態１に係る空気調和機の動作について説明する。
図８（ａ）は左右羽根９の向きをファン５による風の方向と同一にさせたときの左右風向制御装置７の平面図、図８（ｂ）は左右羽根９を偏向させて台座スライド１４ａが直線部１３ａにあるときの左右風向制御装置７の平面図、図８（ｃ）は左右羽根９を偏向させて台座スライド１４ａが曲線部１３ｂにあるときの左右風向制御装置７の平面図である。
まず、図８（ａ）に示す状態から、ベーンモータ１２を時計周りに回転させると、モータ回転板１５が回転して、羽根リンク棒１１が軸線方向に沿って左方向へ移動する。
羽根リンク棒１１を軸線方向に沿って左方向へ移動させると、台座スライド１４ａが台座スライド孔８ｃ内をガイド溝１３に沿って左方向に移動する。
図８（ｂ）に示すように、台座スライド１４ａがガイド溝１３の直線部１３ａを移動する間は、左右羽根９の向きが偏向されるのみで、従来の空気調和機と同様の動きをする。
一方、図８（ａ）の状態から、ベーンモータ１２を反時計回りに回転させ、羽根リンク棒１１を軸線方向に沿って右方向へ移動させると、台座スライド１４ａが台座スライド孔８ｃ内およびガイド溝１３に沿って右方向に移動する。
図８（ｃ）に示すように、台座スライド１４ａが台座スライド孔８ｃの端部およびガイド溝１３の曲線部１３ｂまで達すると、台座リンク棒１４の長さが一定であるので、台座８は台座回転軸受け２ａを中心に台座回転軸８ｂを介して反時計回りに回動し、左右羽根９は吹出し口２の外側に向かってせり出す。さらに、左右羽根９は羽根リンク棒１１と接続されているので、左右羽根９も左右羽根軸受け８ａを中心に左右羽根回転軸９ａを介して反時計回りに回動する。
このとき、固定羽根３０は、台座８の回動によって台座回転軸８ｂを中心に、反時計回りに回動し、左右羽根９のファン５側と接近する。左右羽根９と固定羽根３０とは、それぞれの偏向角度が異なっており、左右羽根９と固定羽根３０とが、くの字形状をした１枚の羽根のような形状になる。
【００１３】
次に、ベーンモータ１２を時計回りに回転させ、羽根リンク棒１１を左方向へ移動させると、台座８は台座回転軸受け２ａを中心に台座回転軸８ｂを介して時計回りに回動し、吹出し口２の外側に向かってせり出していた左右羽根９および固定羽根３０は吹出し口２の内側に移動する。さらに、左右羽根９は羽根リンク棒１１と接続されているので、左右羽根９も左右羽根軸受け８ａを中心に左右羽根回転軸９ａを介して時計回りに回動し、図８（ａ）の状態に戻る。
【００１４】
次に、実施の形態１に係る空気調和機の圧力損失について説明する。
図９（ａ）は従来装置を用いて左右羽根９Ａを偏向させたときの隣接した左右羽根９Ａの間隔を示す説明図、図９（ｂ）は実施の形態１に係る空気調和機を用いて左右羽根９を偏向させたときの隣接した左右羽根９の間隔を示す説明図である。ここで、従来装置に係る空気調和機における隣接した左右羽根回転軸９ａＡの間隔および実施の形態１に係る空気調和機における隣接した左右羽根回転軸９ａの間隔を同一の距離Ｌとしている。
従来例の各左右羽根９Ａの間隔をｈ１、実施の形態１の各左右羽根９の間隔をｈ２とし、それぞれの左右羽根９，９Ａの偏向角度を同一角度θ１、台座８の回転角度をθ２とすると、ｈ１＝Ｌ×ｃｏｓθ１、ｈ２＝Ｌ×ｃｏｓ（θ１−θ２）となる。当然のことながら、θ１は９０度を越えることはなく、θ１＞θ２に設定すると、ｈ１＜ｈ２となる。
なお、θ１およびθ２はガイド溝１３の直線部１３ａの長さとベーンモータ１２の回転角度によって決定される。
図１０（ａ）は従来装置を用いて左右羽根９Ａを偏向させたときの空気の流れを示す説明図、図１０（ｂ）は実施の形態１に係る空気調和機を用いて左右羽根９を偏向させたときの空気の流れを示す説明図である。ただし、台座８の回転角度θ２は１０度である。
従来装置では、左右羽根９Ａを大きく偏向させると、空気の流れが左右羽根９Ａから大きく剥離するため、左右羽根９Ａの表面によどみ領域３３Ａが生じ、空気の流路の幅Ｌ１は、各左右羽根９Ａの間隔ｈ１より小さくなる。
一方、実施の形態１に係る空気調和機では、左右羽根９を大きく偏向させると、固定羽根３０の偏向角度θ２と左右羽根９の偏向角度θ１において、θ１＞θ２であるので、空気の流れは固定羽根３０から剥離しにくく、よどみ領域３３の大きさは、従来技術のものより小さくなる。すなわち、空気の流路の幅Ｌ２は、従来装置の場合の空気の流路の幅Ｌ１より大きく、よどみ領域３３による縮流の影響を受け難くなる。
【００１５】
したがって、実施の形態１の左右羽根９および固定羽根３０では、従来例の左右羽根９Ａの場合より風の方向を偏向する際に発生する空気の流れの縮流が抑制されるので、圧力損失の増大が抑制される。
また、実施の形態１の左右羽根９は吹出し口２の外側へせり出しているので、左右羽根９により偏向された空気の流れによる吹出し口側壁２ｂとの衝突を低減させ、風の方向に高い偏向性を得ることができる。
【００１６】
なお、図１０では、台座８の回転角度θ２を１０度とした左右風向制御装置７について説明しているが、勿論回転角度θ２は１０度とは限らず、何度であってもよい。ただし、一般的には、回転角度θ２は１０度以下として用いられる。
【００１７】
次に、左右羽根９と固定羽根３０との位置関係について説明する。
図１１（ａ）は左右羽根９および固定羽根３０を偏向させていないときの左右羽根９と固定羽根３０との位置関係を示す図であり、図１１（ｂ）は左右羽根９および固定羽根３０を偏向させたときの左右羽根９と固定羽根３０との位置関係を示す図である。ここで、ＬＨは左右羽根回転軸９ａから左右羽根９のファン５側端部までの距離を示し、Ｈは左右羽根回転軸９ａから固定羽根３０までの距離を示す。
固定羽根３０と左右羽根９との位置、固定羽根３０および左右羽根９のそれぞれの寸法は、偏向させたときに、左右羽根９と固定羽根３０とが、くの字形状をした１枚の羽根のような形状になれば、どのような位置、寸法であってもよいが、最も優れた効果を得るためには、Ｈ≒ＬＨ×ｃｏｓ（θ１−θ２）となる関係を満たす必要がある。
【００１８】
以上説明したように、実施の形態１に係る空気調和機によると、台座回転軸受け２ａを中心に台座回転軸８ｂを介して台座８を回動させることで、台座回転軸受け２ａを中心に左右羽根９および固定羽根３０が吹出し口２から出し入れされるので、左右羽根９による圧力損失を低減させることができる。
また、左右羽根９の偏向角度より固定羽根３０の偏向角度が小さいので、固定羽根３０で発生するよどみ領域３３が小さくなり、隣接した左右羽根９の間を通過する空気の流路の幅Ｌ２の縮小が抑制されて、左右羽根９による圧力損失をより低減させることができる。
また、ベーンモータ１２は、１個で左右羽根９の回動と台座８の回動との両方を駆動させることができるので、モータの数を減らすことができる。
【００１９】
また、ガイド溝１３には直線部１３ａおよび曲線部１３ｂが設けられ、左右羽根９の所定の偏向角度を境に台座８の回動を開始または停止させることができる。通常、左右羽根９および固定羽根３０とファン５との距離が近くなりすぎる場合には、騒音や圧力損失が増大するため、このような構成によって、左右羽根９および固定羽根３０とファン５とが近づきすぎることを防ぐことができる。その結果、騒音や圧力損失が大きくなることを防止できる。
【００２０】
また、吹出し口底面２ｃに直線部１３ａおよび曲線部１３ｂを有するガイド溝１３を形成し、台座リンク棒１４の台座スライド１４ａが台座スライド孔８ｃを貫通してガイド溝１３に挿入されているので、簡単な構成で、左右羽根９が所定の偏向角度を境にして、台座８を回動させることができる。
【００２１】
図１２（ａ）は実施の形態１のガイド溝１３の他の例の一使用態様を示す平面図、図１２（ｂ）は図１２（ａ）の別の使用態様を示す平面図、図１２（ｃ）は図１２（ａ）のさらに別の使用態様を示す平面図である。
本使用態様は前述の場合と異なり、左右羽根９および固定羽根３０とファン５との間に十分な距離が確保でき、台座８の回動によって騒音や圧力損失の増大が無い場合の一例を示したものである。
台座８を左右羽根９の回動に伴って同一回転方向に回動させることで、風の左右方向への偏向性をさらに向上させることができる。
ガイド溝１３の直線部１３ｃは、図１２に示すように、上述した実施の形態１のものより送風路３奥側（ファン５の方向）に延びて形成されている。
次に、本使用態様の動作について説明する。
図１２（ａ）の状態から、図１２（ｂ）に示すように、羽根リンク棒１１を右方向へ移動させると、台座スライド１４ａが台座スライド孔８ｃ内をガイド溝１３の曲線部１３ｂに沿って右方向へ移動する。この時、台座リンク棒１４の長さが一定であるので、台座８は台座回転軸８ｂを中心に反時計周りに回動し、左右羽根９および固定羽根３０は吹出し口２の外側へ向かってせりだす。さらに、左右羽根９は羽根リンク棒１１と接続されているので、左右羽根９も左右羽根回転軸９ａを中心として反時計周りに回動する。
一方、図１２（ａ）の状態から、図１２（ｃ）に示すように、羽根リンク棒１１を左方向へ移動させると、台座スライド１４ｂが台座スライド孔８ｃ内をガイド溝１３の直線部１３ｃに沿って左方向へ移動する。この時、台座リンク棒１４の長さが一定であるので、台座８は台座回転軸８ｂを中心に時計周りに回動し、左右羽根９および固定羽根３０は送風路３奥側（ファン５側）へ向かって回動する。
すなわち、左右羽根９を左右方向に偏向させるとともに、台座軸受け２ａを中心に左右羽根回転軸９ａを介して左右羽根９および固定羽根３０を吹出し口２の外側だけでなく送風路３奥側へも移動させて出し入れすることができる。
この例では、左右羽根９を左右方向どちらに偏向させた場合でも、固定羽根３０が左右羽根９のファン５側端部と近接する。左右羽根９と固定羽根３０とは、それぞれの偏向角度が異なっており、左右羽根９と固定羽根３０とが、くの字形状をした１枚の羽根のような形状になる。
【００２２】
この空気調和機によると、左右羽根９および固定羽根３０を吹出し口２の外側だけでなく、送風路３奥側へも移動させて出し入れすることができる。図３のように吹出し口２に設けられた２つの左右風向制御装置７は、同時に左右の同一方向へ回動することができるため、図８に示す実施の形態１に係る空気調和機より風の左右方向への偏向性をさらに向上させることができる。
以上説明したように、ガイド溝１３の形状は気流の偏向に対応する左右羽根９と台座８の回転角度に応じて自由に形成することができる。すなわち、ガイド溝１３は、直線部１３ｃまたは曲線部１３ｂのどちらか一方にて形成してもよい。また、図８に示すように、ガイド溝１３の方向と、台座スライド孔８ｃの方向とが一致する方向に直線部１３ａを設けることで、左右羽根９の回動時に台座８を回動させないことが可能となる。
【００２３】
なお、上記実施の形態１では、ガイド溝１３は吹出し口底面２ｃに形成されているとして説明したが、勿論このものに限らず、例えば、図１３（ａ）および図１３（ｂ）に示すように、吹出し口底面２ｃに板状の台２ｄを設け、この台２ｄにガイド溝１３を形成したものであってもよく、ガイド溝１３は台座スライド１４ａを案内するものであればよい。
例えば、台２ｄを吹出し口底面２ｃに接着剤やピンなどの手段で取付けることで、ガイド溝１３を簡単に形成することができる。
【００２４】
また、台座回転軸８ｂは横方向に並べられた複数の左右羽根９の最も外側にある左右羽根９の左右羽根回転軸９ａと同軸に設ける必要は無く、例えば、図１４に示すように、台座回転軸８ｂは台座８の回動とともに左右羽根９も回動できる位置であればよい。
【００２５】
図１５（ａ）は実施の形態１における空気調和機のさらに他の例の一使用態様を示す平面図、図１５（ｂ）は図１５（ａ）の空気調和機の偏向時の使用態様を示す平面図である。
左右羽根回転軸９ａは、左右羽根９のファン５側端部に配置され、固定羽根３０の反ファン５側端部が左右羽根回転軸９ａに近接して配置されている。
偏向されていない場合には、固定羽根３０と左右羽根９は同一直線上に配置される。
これにより、左右羽根９および固定羽根３０の偏向角度によらず、常に、左右羽根９と固定羽根３０とが接近しており、偏向させた場合には、常に、左右羽根９と固定羽根３０とが、くの字形状をした１枚の羽根のような形状になるので、さらに風の左右方向への偏向性を向上させることができる。
【００２６】
実施の形態２．
図１６（ａ）は実施の形態２に係る空気調和機の要部平面図、図１６（ｂ）は図１６（ａ）の正面図である。
台座回転軸８ｂは動力伝達手段であるベルト１６を介してベーンモータ１２と連結されている。
この台座回転軸８ｂは、台座８に対して回転自在に設けられており、左右羽根回転軸９ａと同期して回転するよう左右羽根回転軸９ａに固定されている。
左右羽根回転軸９ａと左右羽根９とは同期して回転するように固定されている。
左右羽根９を回動させる駆動手段は、ベーンモータ１２、台座回転軸８ｂおよびベルト１６から構成されている。
その他の構成は実施の形態１と同様である。
【００２７】
実施の形態２に係る空気調和機によると、左右羽根回転軸９ａが台座回転軸８ｂおよびベルト１６を介してベーンモータ１２と連結されているので、ベーンモータ１２はモータ回転板１５を介して羽根リンク棒１１と接続する必要はなく、実施の形態１に係る空気調和機と比べて、より自由にベーンモータ１２の位置を設定することができる。ベーンモータ１２によりベルト１６を駆動させることで、左右羽根回転軸９ａを中心に左右羽根９を回動させることができ、同時に台座回転軸８ｂを中心に台座８を回動させることができる。
【００２８】
なお、上記実施の形態２では、台座回転軸８ｂがベルト１６を介してベーンモータ１２と連結されていると説明したが、勿論このものに限らず、左右羽根回転軸９ａがベルトを介してベーンモータ１２と連結されたものであってもよい。この場合、左右羽根９を回動させる駆動手段は、ベーンモータ１２およびベルト１６から構成される。
また、上記実施の形態２では、動力伝達手段としてベルト１６を例に説明したが、勿論このものに限らず、例えばギヤ等であってもよい。
【００２９】
図１７（ａ）は実施の形態２に係る空気調和機の他の例を示す要部平面図、図１７（ｂ）は図１７（ａ）の正面図である。
台座回転軸８ｂはベーンモータ１２と直接連結されている。
この台座回転軸８ｂは、台座８に対して回転自在に設けられており、左右羽根回転軸９ａには同期して回転するように固定されている。
左右羽根回転軸９ａと左右羽根９とは同期して回転するように固定されている。
左右羽根９を回動させる駆動手段は、ベーンモータ１２および台座回転軸８ｂから構成されている。
その他の構成は実施の形態１と同様である。
【００３０】
この空気調和機によると、ベーンモータ１２には、ベーンモータ１２と左右羽根回転軸９ａとを直接連結させるので、実施の形態１に係る空気調和機と比べて、モータ回転板１５等を必要とせず、構成が簡単になる。その結果、空気調和機をよりコンパクトにすることができる。
【００３１】
なお、上記実施の形態２では、台座回転軸８ｂがベーンモータ１２と直接連結されていると説明したが、勿論このものに限らず、左右羽根回転軸９ａがベーンモータ１２と直接連結されたものであってもよい。この場合、左右羽根９を回動させる駆動手段は、ベーンモータ１２から構成される。
【００３２】
また、上記各実施の形態では、羽根を左右羽根９として説明したが、勿論このものに限らず、例えば、風の方向を上下方向に偏向させる上下羽根２０としてもよい。
【００３３】
また、上記各実施の形態では、左右風向制御装置７を、吹出し口底面２ｃに設けたものを説明したが、図２（ｂ）に示すように吹出し口２を区画する吹出し口天面２ｅに設けたものであってもよい。また、左右風向制御装置７を、吹出し口側壁２ｂに設けて、風の方向を上下方向に偏向させてもよい。
【図面の簡単な説明】
【００３４】
【図１】実施の形態１に係る空気調和機の左右風向制御装置を示す斜視図である。
【図２】図２（ａ）は図１の左右風向制御装置の取り付け位置を示す説明図、図２（ｂ）は図２（ａ）の他の例を示す説明図である。
【図３】実施の形態１に係る空気調和機の左右風向制御装置の吹出し口への取り付けを示す説明図である。
【図４】台座に形成された台座スライド孔と吹出し口に形成されたガイド溝との関係を示す説明図である。
【図５】図４の台座スライド孔とガイド溝と吹出し口との関係を示す分解斜視図である。
【図６】左右羽根と台座と吹出し口との関係を示す分解斜視図である。
【図７】ベーンモータと羽根リンク棒と台座リンク棒との関係を示す平面図である。
【図８】図８（ａ）は左右羽根の向きをファンによる風の方向と同一にさせたときの左右風向制御装置の平面図、図８（ｂ）は左右羽根を偏向させて台座スライドが直線部にあるときの左右風向制御装置の平面図、図８（ｃ）は左右方向羽根を偏向させて台座スライドが曲線部にあるときの左右風向制御装置の平面図である。
【図９】図９（ａ）は従来装置を用いて左右羽根を偏向させたときの隣接した左右羽根の間隔を示す説明図、図９（ｂ）は実施の形態１に係る空気調和機を用いて左右羽根を偏向させたときの隣接した左右羽根の間隔を示す説明図である。
【図１０】図１０（ａ）は従来装置を用いて左右羽根を偏向させたときの空気の流れを示す説明図、図１０（ｂ）は実施の形態１に係る空気調和機を用いて左右羽根を偏向させたときの空気の流れを示す説明図である。
【図１１】図１１（ａ）は偏向させていないときの左右羽根と固定羽根との位置関係を示す図であり、図１１（ｂ）は偏向させたときの左右羽根と固定羽根との位置関係を示す図である。
【図１２】図１２（ａ）は実施の形態１のガイド溝の他の例の一使用態様を示す平面図、図１２（ｂ）は図１２（ａ）の別の使用態様を示す平面図、図１２（ｃ）は図１２（ａ）のさらに別の使用態様を示す平面図である。
【図１３】図１３（ａ）は実施の形態１のガイド溝のさらに他の例を示す平面図、図１３（ｂ）は図１３（ａ）の正面図である。
【図１４】実施の形態１の台座回転軸の位置の他の例を示す平面図である。
【図１５】図１５（ａ）は実施の形態１に係る空気調和機のさらに他の例の一使用態様を示す平面図、図１５（ｂ）は図１５（ａ）空気調和機の偏向時の使用態様を示す平面図である。
【図１６】図１６（ａ）は実施の形態２に係る空気調和機の要部平面図、図１６（ｂ）は図１６（ａ）の正面図である。
【図１７】図１７（ａ）は実施の形態２に係る空気調和機の他の例を示す要部平面図、図１７（ｂ）は図１７（ａ）の正面図である。
【符号の説明】
【００３５】
１  吸込み口、２  吹出し口、２ａ  台座軸受け、２ｂ、２ｂＡ  吹出し口側壁、２ｃ、２ｃＡ  吹出し口底面、２ｄ  台、２ｅ  吹出し口天面、３  送風路、４  ケース、５  ファン、６  熱交換器、７  左右風向制御装置、８  台座、８ａ  左右羽根軸受け、８ｂ  台座回転軸、８ｃ  台座スライド孔、９、９Ａ  左右羽根、９ａ、９ａＡ  左右羽根回転軸、１０  ヒンジ、１１  羽根リンク棒、１１ａ  モータスライド、１２  ベーンモータ、１３  ガイド溝、１３ａ  直線部、１３ｂ  曲線部、１４  台座リンク棒、１４ａ  台座スライド、１５  モータ回転板、１５ａ  モータスライド孔、１６  ベルト、２０  上下羽根、２１  上下羽根回転軸、２２  気流の方向を表す矢印、２３  上下羽根の回動方向を表す矢印、２４  台座の回動を表す矢印、２５  上下風向制御装置、３０  固定羽根。
【図１】
2008261537.tif 000003
【図２】
2008261537.tif 000004
【図３】
2008261537.tif 000005
【図４】
2008261537.tif 000006
【図５】
2008261537.tif 000007
【図６】
2008261537.tif 000008
【図７】
2008261537.tif 000009
【図８】
2008261537.tif 000010
【図９】
2008261537.tif 000011
【図１０】
2008261537.tif 000012
【図１１】
2008261537.tif 000013
【図１２】
2008261537.tif 000014
【図１３】
2008261537.tif 000015
【図１４】
2008261537.tif 000016
【図１５】
2008261537.tif 000017
【図１６】
2008261537.tif 000018
【図１７】
2008261537.tif 000019